(57)【要約】【課題】  マイナスイオン及び遠赤外線・身体に良い電磁波を発生できる鉱石等特有イオンを効率良く、多量に発生させて、優れた健康、美容を発揮させるユニットサウナ。【解決手段】上槽タンク（長方形）１８の内部に循環送水配管パイプに無数の穴を開け、１水中ポンプの送水圧力を利用して穴から噴出した圧力温水をイオン発生成材（トルマリン鉱石及び黒曜石）等に衝撃を加え、滝のように、又は、シャワーのようにデザインと癒しを兼ねて、温水を落下させ滝となって、イオン生成材１例（トルマリン、及び黒曜石）等に衝撃与えて温水シブキになり、高湿度化になる。マイナスイオン及び、遠赤外線・身体に良い電磁波等が発生しサウナ室内に充満す装置。多量のイオン発生鉱石と多量の温水を循環させることができる装置、室内温度と滝落とし温水温度が同温度となる事により湿度が空気化するので、圧迫間がなく、呼吸しながら低温で長時間入浴ができるユニットサウナ。【選択図】      図Ａ−１
2007090023.tif 000002
【特許請求の範囲】
【請求項１】
移動及び何処でも健康と美容に役達低温、高湿度、省エネルギーでマイナスイオン、遠赤外線等が生成材によって発生が出来ることを特徴とするユニットサウナ。
【請求項２】
マイナスイオン、遠赤外線生成材に温熱湯で圧力抵抗と温水落差（滝の様）に落水することで、高湿度となる、その温水を循環する事で室内温度と水温が同温度となる、空気とイオンが混合でき、呼吸が快適にできるため身体が活性化することを特徴としたユニットサウナ。
【請求項３】
床下に温水循環で床を適温に暖め、その上に多量のマイナスイオン、遠赤外線等が発生できる生成材を敷き入れイオンを発生させる、身体を特殊トルマリンパネル盤、又は、石板を敷く、その身体に床下からの温熱イオンが発生できるので身体が芯から低温で暖まるユニットサウナ。
【請求項４】
コンテナハウスを利用する事によりコスト等が安価で、移動も簡単に設置場所も自由に固定も出来ることが特徴とするユニットサウナ。
【発明の詳細な説明】
【技術分野】
【０００１】  本発明は（トルマリン鉱石・黒曜石・麦飯石・北投石・ラジウム鉱石等）から低温水で摩擦を加え鉱石から、鉱石特有のイオンを発生させ、高湿度と混合させ呼吸によって身体が活性化できるユニットサウナに関する。
【背景技術】
【０００２】  近年、トルマリン鉱石、黒曜石、ラジウム鉱石、麦飯石、北投石、等のマイナスイオン、遠赤外線を発生し易い物質（マイナスイオン、遠赤外線生成材）を用いる種々のサウナが開発され、使用され始めている。
このようなマイナスイオン、遠赤外線生成材はその生成材に触れた空気、水等をマイナスイオン化でき、その生成材を加熱、加圧等すると、簡単に多量のマイナスイオンと遠赤外線を発生させることができる。
その故、マイナスイオン生成を用いたサウナに入ると、そのマイナスイオン、遠赤外線による優れた健康、美容効果を亨受できる。又サウナの低温が可能であるため、低温化により普通のサウナのように厚苦しくなく、我慢をしながら汗を搾りだす必要もなく長時間居ても快適に過ごせる。【０００３】  このようなマイナスイオンとして、気密性、断熱性、の高い部屋に、一般的に市販されているような温度設定が可能な床暖房システムに敷き、その上に球砂入りモルタルにトルマリンの粉末、小豆大のトルマリン原石を混ぜたものを床材として盛り、横たわった人の肩、腰、に当たるように、トルマリン入りのタオル又は陶器等を埋め込み、モルタルを固化させて岩盤を完成し、更にその岩盤を仕切ってベッドと通路を形成してベッドの周囲に溝、通路に若干の経窪みを夫々設け、そこに水気が溜まるようにし、水蒸気が発生し易い環境にして、室内の湿度を調整するようにしたものが提示されている。
【発明の開示】
【発明が解決しようとする課題】
【０００４】  しかしながら、このようなサウナはトルマリン及びイオン生成材の量を多くできず、マイナスイオンや遠赤外線を多量に発生し難い。しかも、そのベッドに上向きになって横たわると、背中側がベッドの上面と広く密着触するため、肩、腰、膝、等の特定の部位を除いた箇所にマイナスイオンが触れ難くなる。又ベッドとなる岩盤の下に一般的に市販されているような床システムを敷くだけでは床部の断熱効果を大きくできない。カビ、汗の悪臭問題が多い、小型化で機能が低く光熱費が高い、又マイナスイオン等発生が低いのが一般的に市販されているユニット型サウナである。【０００５】  本発明はこのような従来の問題点に着目してなされたものであり、低温で高湿度とマイナスイオンや遠赤外線を多量に発生し易く、その高湿度を発生させてマイナスイオンや遠赤外線による効果が得られると共に、身体の温熱種指圧効果も得られ、床部の断熱効果が大きく、又抗菌効果と汗の悪臭の解決、省エネルギーに優れたマイナスイオンユニットサウナを提供することを目的とする。
【課題を解決するための手段】
【０００６】  上記目的を達成するために、本発明によるマイナスイオンユニットサウナの床部をマイナスイオン生成用床部にする。そして、上記マイナスイオン生成用床部上、中、下の３層床部からなる積層体にし、その上層部高断熱性能を有するマイナスイオン生成材を含む特殊トルマリンシンダーコンクリートブロックにし、そのトルマリンシンダーコンクリートブロックに上下に貫通する複数の貫通穴を分散配置すると共に、そのコンクリートブロックの上面に多数のマイナスイオン生成材からなる身体支持用部材を分散配置して、その各身体支持用部材を上面より一部を夫々突出させて植設する。【０００７】  又、その中層床部を多数のマイナスイオン生成材を集積した集積体にし、その下層部に高断熱性能を有するマイナスイオン生成材を含む特殊シンダーコンクリートにし、そのシンダーコンクリートに加熱用温水管を配管する。【０００８】  又（図Ａ−１）の１８の（容器）例えば大きな筒に多数のマイナスイオン生成材を収容した循環温水ポンプ圧力放水装置によりマイナスイオン及び高湿度が発生させ部屋内が高湿度とマイナスイオン・遠赤外線等が部屋全体に充満し空気となり、呼吸をする事により身体が活性化される装置。
荻原大が提出日平成１７年４月１８日整理番号・Ｐ０５０Ｈ０１  特願２００５−１１９６８４図６と同様の装置である。【０００９】  又、上記に（容器）太い筒の中にマイナスイオン生成鉱石を投入し、太い筒の中心部に送水管にラセン型の穴を開け、温水ポンプで送水し、太い筒の中間に多量マイナスイオン生成材を収納する、送水管から圧力温水が噴出し、周囲の鉱石と摩擦を起こし、マイナスイオン・遠赤外線・及び電磁波が発生し、太い筒の下部に複数の穴より温水落下、下のタンクに溜まる、又温水タンクにマイナスイオン・遠赤外線生成材（鉱石原石）図Ａ−１の２に多量に収納する。又ユニットハウス部屋の壁部高断熱性能工法を有するマイナスイオン生成材を含む黒曜石特殊シンダーコンクリートにするとよい。
【発明の効果】
【００１０】  本発明のマイナスイオン・遠赤外線・低温・高湿サウナは部屋のマイナスイオン生成用床部を上、中、下の３層床部からなる積層体にし、その下層床部に加熱用温水管を熱源として備え付けることにより、その加熱用温水管から発生する、熱を先ず下層床部を構成する、黒曜石特殊シンダーコンクリートに伝え、更に中層床部へと伝えて部屋内を暖めることができる。すると上、中、下の３層床部を構成するマイナスイオン生成材と部屋内の空気、水分が加熱され、所定温度に達成する。【００１１】  それ故、マイナスイオン生成材と接触した高湿度空気、湿度がマイナスイオン化され易くなり多量のマイナスイオンが発生する。又、マイナスイオン生成材から多量の遠赤外線が放射され、更に上層床部とその上層床部設けられた各貫通穴からの中、下層部で発生した多量のマイナスイオンと熱が高湿度空気の対流等によって放出されてコンテナユニットハウス部屋内が充満する。【００１２】  このようなコンテナユニットサウナ部屋内に入浴者が入って横たわると、身体が床面からの突出する多数のトルマリンマイナスイオン生成材からなる身体支持用部材で支えられて温熱指圧効果となる、又、身体に適した遠赤外線と電磁波が身体に電動する。横たわった人が床面に密接触せず、各身体支持用部材で当接箇所が温熱指圧され、床面との間に少し空間ができる。そして、その空間内に周囲からマイナスイオンが侵入、横たわった人の下側にもほぼ平均に多量のマイナスイオンが触れる。それ故、多数の身体用部材による温熱指圧効果と多量のマイナスイオン効果を得ることができる。又、多量の遠赤外線を受けて、その効果を得ることもできる。【００１３】  しかも、黒曜石マイナスイオン生成用床部の上、下層床部を構成するコンクリートに高断熱性能を有するマイナスイオン生成材を含ませると、マイナスイオン生成用床部の断熱効果が大きくなり、省エネルギーに優れたものになる。【００１４】  そして、（上層容器）図Ａ−１の１８、図Ｂ−４太い筒に多数のマイナスイオン生成材を収容し、その中心部より温水循環パイプのラセン型穴より、ポンプからの圧力で放出させ、そのマイナスイオン生成材を加圧等で温水をマイナスイオン化し、太い筒の下部の、無数の穴から落下させることにより、多量のマイナスイオン・遠赤外線・高湿度蒸気を発生させ温水タンクのマイナスイオン生成材（鉱石原石）を通過する、温水に含まれたマイナスイオンを一層空気中に高湿度が空気のようになって身体に吸収それる。【００１５】  又、循環ポンプの送水水圧力で落下するマイナスイオン化した温水を受けると、下層のタンク図Ａ−１の１５にある多量のマイナスイオン生成材に温水を更に受け、マイナスイオン化し滝の様に又は、シャワーの様に落下させるとマイナスイオンと遠赤外線を空気中に拡散して多量に含まれることができる。
コンテナユニットハウス部屋の壁部を構成する黒曜石特殊シンダーコンクリートに高断熱性能を有するマイナスイオン生成材を含ませると、黒曜石の抗菌作用が発生し、汗の悪臭及び、カビが発生しない、当社の体験場の結果確認された。
広く体積の大きな壁部に含まれる多量のマイナスイオン生成材により、部屋内に多量のマイナスイオンを満たし、多量の遠赤外線、及び、電磁波が放射できる。しかも、壁部の断熱性と屈折輻射熱効果が大きく、部屋の断熱効果を大きくできるので省エネルギーに適する。
【発明を実施するための最良の形態】
【００１６】  以下、図Ａ−１から２、図−Ｂ１から４−図Ｃ−１を参照して、本発明の実施の最良形態を説明する。図Ａ−１は本発明を適用した１人用マイナスイオン発生装置付きのユニットサウナの縦断面図、図Ａ−２は２人用の平面図、図Ｂ−１は特殊トルマリンパネル盤の断面図、図Ｂ−２は特殊トルマリンパネル盤の平面図、図Ｂ−３はトルマリンボールの断面図、図Ｂ−４は圧力イオン発生図、図Ｃ−１は床暖房の配管平面図である。
このユニットマイナスイオンサウナ、図Ａ−１入浴者が横たわりながらマイナスイオン、遠赤外線を受ける床部２４の主要部となるマイナスイオン生成用床部となるマイナスイオン生成用床部２４を上、中、下のいずれも厚みが例えば１０ｃｍ程の３層床部６、３，２４からなる積層体にする。【００１７】  施工方法は、９を鉄骨コンテナハウス床板から断熱防水ビニュルヒートを６面に（壁４面・天上・床）等に貼り付け固定する、その上に断熱素材を固定する。その上にラス網を固定し、黒曜石パーライトシンダーモルタルを、例えばセメント１０％、砂３０％黒曜石パーライト６０％を練り合せた黒曜石シンダーモルタルを２重〜３重に塗りを行う。上記の使用工法考案工程によりサウナの難問が解決できた、床・壁に黒曜石シンダーモルタルの特徴がでる。蓄積断熱効果と汗の悪臭及びカビ等の抗菌作用が実証された。
荻原大が出願日平成１７年４月１８日、整理番号Ｐ０５０Ｈ０１、特願２００５−１１９６８４の体験場作製で実証ができた。
サウナ関係に黒曜石パーライト及び黒曜石原石を多量に使用した開発等は画期的な使用方法である。【００１８】  床暖房について４の温熱パイプ管を２列平行に図Ｃ−１平面図のように配管を設置し、メッシュ筋に固定する、その温熱配管を黒曜石パーライトモルタルで、１例（１０ｃｍ）の厚みに流し込み、床コンクリートを作製する。
１７のボイラーから１１外周配管に温湯を送り、１３内周配管より温湯を送ると温湯の流れは対流方向で床全体に流れる事により床全体の温度差が無くなる平均化された床暖房となる。黒曜石パーライトシンダーモルタルは、蓄積温度が良く、しかも黒曜石特有のマイナスイオンが温熱配管から熱で発生するので抗菌効果がでる。
荻原大が平成１７年７月１７日提出・整理番号・Ｐ０４０Ｈ０１・識別番号０００１２３３０９特願２００５−２３００５１の方法で体験場を作製し実証ができた。【００１９】  黒曜石床暖房モルタルで床暖房を１例（１０ｃｍ）厚みで下層を作製する、その上に中層を１例（１０ｃｍ黒曜石・トルマリン鉱石）３のイオン生成材を搬入し、中層が完成、上層部に２４特殊トルマリンパネル盤を敷き、上層・中層・下層が一体化した床ユニットサウナとなる。【００２０】  室内の高湿度を発生させる方法として滝のように、１５網板の上に黒曜石等を多量に収容して、温水の落差で抵抗を与ながら１３・１４の板版で温水の流れを変え２のイオン生成材に落差と温熱湯で衝撃ができ、マイナスイオン及び遠赤外線等が発生した温湯がタンクに蓄積する。【００２１】  温水ポンプ１からか１６の循環温水送水管を通り上段図Ｂ−２  １８圧力発生装置筒の中で温水とイオン生成材、（１例トルマリン鉱石）等が温水で混合しながらトルマリン温水となって中段の黒曜石設置１５網板に吹き出る。【００２２】  ミストシャワー２３の温水は、１の温水ポンプからトルマリン水が送水されるので、美肌に大変良いことが体験場の結果実証された。【００２３】  使用する黒曜石は産地として有名な長野県和田峠産であり、その成分含有率の一例を表１に示す。【００２４】
【表１】
2007090023.tif 000003
【表２】
2007090023.tif 000004
2007090023.tif 000005
【００２５】  上層部に２４セットするトルマリン特殊パネル盤図Ｂ−１から図Ｂ−２・図Ｂ−３・図Ｂ−４  図は荻原大が平成１７年４月１８日に出願と同様です、整理番号・Ｐ０５０Ｈ０１特願２００５−１１９６８４を使用する。【００２６】  このようなサウナ部屋内には多量のマイナスイオンが満ち、多量の遠赤外線が放射されている上、温度が４０℃程の低温に保たれ、湿度が高く８０％で入浴者が長時間いても快適に過ごせる。そして、自分の好きな音楽を聞き、噴水及び滝装置施設等を見ると一層リラックスできる。
入浴者がベッド２４に横たわると、身体が床面全体にほぼ均等に分散配置されて突出している多数のトルマリンマイナスイオン生成材からなる身体支持用部材２４のトルマリンボールで支えられる。【００２７】  横たわった人が床面に密接触せず、各身体支持用部材２４で支えられる背側の等接箇所が夫々温熱指圧され、床面との間に少し空間ができる。そして、その下側空間内に周囲からマイナスイオンが侵入し、横たわった人の背側に多量のマイナスイオンが触れる。それ故、横たわった人の背側に多数の身体支持用部材２４による温熱指圧効果が作用し、全体で多量のマイナスイオンと多量の遠赤外線を受けて、健康、美容効果が受けられる。
【図面の簡単な説明】
【００２８】
【図Ａ−１】本発明を適用したユニット型サウナの縦断面図である。
【図Ａ−２】同２人用ユニット型サウナの平面図である。
【図Ｂ−１】同１人用特殊トルマリンパネル盤の断面図である。
【図Ｂ−２】同１人用特殊トルマリンパネル盤の平面図である。
【図Ｂ−３】同トルマリンボールの断面図である。
【図Ｂ−４】同マイナスイオン及び遠赤外線等を温湯圧力で発生させる装置。
【図Ｃ−１】同床暖房配管平面図（２列平行対流）配管平面図である。    図Ａ−１    図Ｂ−２
【符号の説明】
【００２８】１    温水循環ポンプ。
２    イオン生成材（トルマリン鉱石・黒曜石・その他の鉱石）。
３    イオン生成材（トルマリン原石・黒曜石）。
４    温熱パイプ。
５    断熱ビニール及び基礎床材。
６    特殊シンダーコンクリート。
７    通路スノコ。
８    入り口。
９    基礎鉄骨材。
１０  洗面器具。
１１  特殊シンダーコンクリート壁。
１２  換気出入り口。
１３  温水流れ板。
１４  温水方向板。
１５  網板。
１６  循環温水送水管。
１７  カバー
１８  マイナスイオン・遠赤外線圧力発生装置。
１９  室内換気扇装置。
２０  断熱天上。
２１  脱衣家具置き場。
２２  ミストシャワー室。
２３  シャワー
２４  図Ｂ−１トルマリン特殊パネル盤。
２５  イオン発生・湿度混合滝落とし装置と温水槽。
２６  枕。
２７  洗面器具
図−Ｂ１    図−Ｂ２    図−Ｂ３    図−Ｂ４
【符号の説明】
【００２９】１    床暖房装置
２    コンクリート基礎
３    温度防水ヒート及び断熱層
４    Ｗ並行対流（送温水パイプ）加熱用配管
５    Ｗ並行対流（反対方向送湯パイプ）加熱用温水管
６    黒曜石及び黒曜石パーライト
７    貫通穴パイプ
８    身体支持用部材（トルマリン鉱石又はイオン生成材）
９    特殊トルマリンボール
１０  特殊トルマリンパネル盤
１１  送湯ポンプ
１２  送湯配管（パイプ）
１３  反対側送湯ポンプ
１４  温湯バック配管（パイプ）
１５  反対側温湯バック配管（パイプ）
１６  壁部
１７  ボイラー
１８  ベット
１９  上層床部
２０  中層床部
２１  下層床部
２２  木枠
２３  円筒パイプ
２４  トルマリン
２５  トルマリン特殊シンダーパネル盤
２６  黒曜石特殊シンダーコンクリート
２７  トルマリンボール
２８  トルマリン
２９  黒曜石
図  Ｃ−１
【符号の説明】
【００３０】１１  外周送水モーター及び調整バルプ
１２  温水送水管
１３  内周送水モーター及び調整バルブ
１４  内周帰り水パイプ
１５  外周帰り水パイプ
１６  基礎
１７  ボイラー室
【図Ａ−１】
2007090023.tif 000006
【図Ａ−２】
2007090023.tif 000007
【図Ｂ−１】
2007090023.tif 000008
【図Ｂ−２】
2007090023.tif 000009
【図Ｂ−３】
2007090023.tif 000010
【図Ｂ−４】
2007090023.tif 000011
【図Ｃ−１】
2007090023.tif 000012